(57)【要約】【課題】開閉体の開状態から緩徐に閉動作させることができるうえ、エアー、オイル等の流体漏れや温度によるオイルのような性能変化の問題がなく、しかも小型化、コストの低減を図れる開閉体の閉じダンパー装置を提供する。【解決手段】支持部材２に開閉自在に装備される開閉体３の開状態から閉動作の制動を行うダンパー装置であって、シャフト４と、該シャフト４に遊転自在に挿通され開閉体３と連係される回転部材５と、シャフト４に回り止め状に且つ軸方向移動可能に挿通されて回転部材５の両側面に配備され、フッ素樹脂層を表面に形成した摺動部材６と、シャフト４とホルダー７との間に装着され、開閉体３の開時に空転してシャフト４を一方向にのみ回転可能とするワンウェイクラッチ８と、摺動部材６を回転部材５の両側面に押し付ける押圧部材９とを備える。【選択図】図４
2009057729.tif 000002
【特許請求の範囲】
【請求項１】
支持部材に開閉自在に装備される開閉体の開状態から閉動作の制動を行うダンパー装置であって、シャフトと、該シャフトに遊転自在に挿通され前記開閉体と連係される回転部材と、前記シャフトに回り止め状に且つ軸方向移動可能に挿通されて前記回転部材の両側面に配備され、フッ素樹脂層を表面に形成した摺動部材と、シャフトの一端部側を片持ち支持し前記支持部材側に固定されるホルダーと、前記シャフトと前記ホルダーとの間に、前記開閉体の開時に空転して前記シャフトを一方向にのみ回転可能とし、前記開閉体の閉時にかみ合い作動して前記シャフトの逆方向への回転を阻止するように装着したワンウェイクラッチと、前記摺動部材を前記回転部材の両側面に押し付ける押圧部材と、を備えていることを特徴とする、開閉体のダンパー装置。
【請求項２】
前記シャフトの他端部の雄ねじ部にナットを螺合させ、このナットの締め付けにより前記押圧部材を押圧して前記摺動部材を前記回転部材に押し付けるようにしている、請求項１記載の開閉体のダンパー装置。
【請求項３】
前記支持部材が戸枠であり、前記開閉体が、戸枠の上部に固定されたハンガーレールに戸車を介して吊り下げられた引戸であって、前記回転部材が前記引戸の上部に固定されたラックに該引戸の閉時にかみ合うピニオンであり、前記ホルダーが前記戸枠側に固定されている、請求項１又は２記載の開閉体のダンパー装置。
【請求項４】
前記引戸が自動的に閉じる自閉手段を備えている、請求項３記載の開閉体のダンパー装置。
【請求項５】
前記支持部材がノート型パソコン等の機器本体であり、前記開閉体が前記機器本体の開閉蓋であって、前記回転部材が前記開閉蓋側に取り付けられる可動ブラケットであり、前記ホルダーが前記機器本体側に固定されている、請求項１又は２記載の開閉体のダンパー装置。
【発明の詳細な説明】
【技術分野】
【０００１】
本発明は、引戸やノート型パソコン、あるいは液晶表示板、小型測定機器など各種開閉体の開閉機構に好適に用いられるダンパー装置に係り、より詳しくは開閉体の開状態から緩徐に閉動作させることのできる開閉体の閉じダンパー装置に関する。
【背景技術】
【０００２】
例えば、自閉式の引戸において、開放された引戸が適宜の自閉手段（ドアクローザ）で自動的に閉じる際に、引戸が急激な速度に達して戸枠に衝突して大きな音をたてたり、引戸と戸枠との間で指先を挟んだりするのを防止するため、ゆっくりと低速で閉まるように閉扉動作の制動を行うダンパー装置が設けられている。ダンパー装置としては、エアーダンパーやオイルダンパーなどが採用されている（例えば、特許文献１,２参照。）。
【０００３】
【特許文献１】特開２００６−１６１５３８号公報
【特許文献２】特開平９−８８４１５号公報
【発明の開示】
【発明が解決しようとする課題】
【０００４】
しかしながら、エアーダンパーやオイルダンパーによる上記ダンパー装置では、装置全体が大型化し、またエアー漏れやオイル漏れを起こしやすく、とくにオイルは温度変化により減衰性能が変化しやすいという問題があった。更に、コスト高であるといった欠点もあった。
【０００５】
本発明は、このような問題を解決するためになされたもので、その目的とするところは、開閉体の開状態から緩徐に閉動作させることができるうえ、エアー、オイル等の流体漏れや温度によるオイルのような性能変化の問題がなく、しかも小型化、コストの低減を図れる開閉体の閉じダンパー装置を提供することにある。
【課題を解決するための手段】
【０００６】
本発明は、請求項１に記載のように、発明の内容を理解し易くするために図１〜図に付した符号を参照して説明すると、支持部材２に開閉自在に装備される開閉体３の開状態から閉動作の制動を行うダンパー装置であって、シャフト４と、該シャフト４に遊転自在に挿通され開閉体３と連係される回転部材５と、シャフト４に回り止め状に且つ軸方向移動可能に挿通されて回転部材５の両側面に配備され、フッ素樹脂層を表面に形成した摺動部材６と、シャフト４の一端部側を片持ち支持し支持部材２側に固定されるホルダー７と、シャフト４とホルダー７との間に、開閉体３の開時に空転してシャフト４を一方向にのみ回転可能とし、開閉体３の閉時にかみ合い作動してシャフト４の逆方向への回転を阻止するように装着したワンウェイクラッチ８と、摺動部材６を回転部材５の両側面に押し付ける押圧部材９と、を備えていることに特徴を有するものである。
【０００７】
上記構成の開閉体のダンパー装置によれば、開閉体３を閉じる時に、摺動部材６が回転部材５の回転方向にトルクを発生し、このときワンウェイクラッチ８はかみ合い作動してシャフト４の回転を遮断するので、回転部材５は摺動部材６との摩擦によるダンパー力（制動力）を受けながら回転し、開閉体３はゆっくりと低速で閉まる。
開閉体３を開ける時には、ワンウェイクラッチ８は空転するので、回転部材５は摺動部材６との摩擦でシャフト４と一体となって回転し、大きな力を要することなく開閉体３を軽快に開けることができる。
【０００８】
請求項１記載の開閉体のダンパー装置は、請求項２に記載のように、シャフト４の他端部の雄ねじ部２２にナット２３を螺合させ、このナット２３の締め付けにより押圧部材９を押圧して摺動部材６を回転部材５に押し付けるという構成を採用することができる。この構成によると、ナット２３の締め付けを調整することで必要なトルク値を得ることができる。つまり、必要なトルク値に応じてナット２３の締め付け力を調整することができる。
【０００９】
請求項１又は２記載の開閉体のダンパー装置は、請求項３に記載のように、開閉体３が、戸枠２７の上部に固定されたハンガーレール１０に戸車１１，１２を介して吊り下げられた引戸３１であって、回転部材５が引戸３１の上部に固定されたラック１５に引戸３１の閉時にかみ合うピニオン５１であり、ホルダー７が戸枠２７側に固定されるという構成を採用することができる。この構成によると、引戸３１を閉じる時に、ラック１５とピニオン５１がかみ合うと同時に、摺動部材６がピニオン５１の回転方向にトルクを発生し、このときワンウェイクラッチ８はかみ合い作動してシャフト４の回転を遮断するので、ピニオン５１は摺動部材６との摩擦によるダンパー力を受けながら回転し、引戸３１はゆっくりと低速で閉まる。
引戸３１を閉じる時に、ラック１５とピニオン５１がかみ合うと同時に、摺動部材６がピニオン５１の回転方向にトルクを発生し、このときワンウェイクラッチ８はかみ合い作動してシャフト４の回転を遮断するので、ピニオン５１は摺動部材６との摩擦による制動を受けながら回転し、引戸３１はゆっくりと低速で閉まる。
引戸３１を開ける時には、ワンウェイクラッチ８は空転するので、ラック１５とかみ合うピニオン５１は摺動部材６との摩擦でシャフト４と一体となって回転し、大きな力を要することなく引戸３１を軽快に開けることができる。
【００１０】
請求項３記載の開閉体のダンパー装置は、請求項４に記載のように、引戸３１が自動的に閉じる自閉手段を備えた構成を採用することができる。この構成によると、引戸３１を人手による閉じ操作を要することなく閉じることができる。
【００１１】
請求項１又は２記載の開閉体のダンパー装置は、請求項５に記載のように、開閉体３が、ノート型パソコン等の機器本体の開閉蓋であって、回転部材５が前記開閉蓋側に取り付けられる可動ブラケット２６であり、ホルダー６が前記機器本体側に固定された構成を採用することができる。この構成によると、開閉蓋を閉じる時に、摺動部材６が可動ブラケット２６の回転方向にトルクを発生し、このときワンウェイクラッチ８はかみ合い作動してシャフト４の回転を遮断するので、可動ブラケット２６は摺動部材６との摩擦によるダンパー力を受けながらシャフト４周りに回転し、開閉蓋はゆっくりと低速で閉まる。
開閉蓋を開ける時には、ワンウェイクラッチ８は空転するので、可動ブラケット２６は摺動部材６との摩擦でシャフト４と一体となって回転し、大きな力を要することなく開閉蓋を軽く開けられ、フリーな位置に止めることができる。
【発明の効果】
【００１２】
本発明によれば、開閉体を閉じる方向にトルクを発生して緩徐に閉動作させることができて衝撃や衝撃音の発生を防止でき、開閉体を開ける方向ではトルクを発生せず空転状態となって軽く開けることができ、しかも摺動部材は低摩擦、耐摩耗性に優れるフッ素樹脂層を表面に形成したものであるため、自己潤滑性でグリスレスであり、エアー、オイル等の流体漏れや温度によるオイルのような性能変化の問題もなく、小型化、コストの低減をも図ることができる。
【発明を実施するための最良の形態】
【００１３】
本発明の好適な実施形態を図面に基づき説明する。図１は本発明の一実施例のダンパー装置を備えた引戸の閉じ途上の状態を示す正面図、図２は同ダンパー装置周辺の拡大斜視図、図３は同ダンパー装置を備えた引戸の上部を裏側からみた斜視図、図４は図２におけるＡ-Ａ線断面図、図５は同ダンパー装置の斜視図、図６は同ダンパー装置の分解斜視図である。
【００１４】
図１〜図６は開閉体である上吊り式引戸のドアクローザに適用したダンパー装置を示しており、このダンパー装置１は、支持部材２である戸枠２７に開閉自在に装備された開閉体３である引戸３１の開状態から閉動作の制動を行うダンパー装置であって、図４〜図６に示すように、シャフト４と、該シャフト４に遊転自在に挿通され引戸３１と連係される回転部材５であるピニオン５１と、シャフト４に回り止め状に且つ軸方向移動可能に挿通されてピニオン５１の両側面に配備され、フッ素樹脂層を表面に形成した摺動部材６と、シャフト４の一端部側を片持ち支持し戸枠２７側に固定されるホルダー７と、シャフト４とホルダー７との間に、引戸３１の開時に空転してシャフト４を一方向にのみ回転可能とし、引戸３１の閉時にかみ合い作動してシャフト４の逆方向への回転を阻止するように装着したワンウェイクラッチ８と、摺動部材６をピニオン５１の両側面にそれぞれ押し付ける押圧部材９とを備えている。
【００１５】
図１〜図３に示すように、引戸３１は、戸枠２７の上部に固定されたハンガーレール１０に戸先側の戸車１１および戸尻側の戸車１２を介して吊り下げられ、自動的に矢印Ｂ方向に閉じるようにした周知の自閉手段（ドアクローザ）を備えている。自閉手段としては、図外のぜんまいバネや引っ張りバネを使って引戸を自動的に閉じるもの、あるいは閉じ方向に向かって下り傾斜する傾斜型のハンガーレールで戸車を移動案内するもの等である。
【００１６】
図４〜図６に示すように、ダンパー装置１のシャフト４は軸方向中間部にフランジ１３を付け、該フランジ１３より軸方向一端部方向の領域４ａは断面円形に形成し、該フランジ１３より軸方向他端部方向の領域４ｂは円周対向部に平坦部１４を形成している。
【００１７】
図４、図６に示すように、ダンパー装置１の回転部材であるピニオン５１は中心に円形の軸孔５１ａを有し、該軸孔５１ａをシャフト４のフランジ１３より軸方向他端部側に遊転自在に挿通している。図１、図２に示すように、ピニオン５１は、引戸３１の上部に固定されたラック１５とのかみ合いを介して引戸３１と連係される。ラック１５は、引戸３１が閉じる際、引戸３１を完全に閉じる少し手前からピニオン５１にかみ合うように引戸３１の上部の戸先側寄りに固定している。
【００１８】
図４に示すように、摺動部材６は低摩擦、耐摩耗性に優れるフッ素樹脂層を表面に被覆、ラミネート、貼り合わせ等により形成しており、かつ中心に円周対向部にシャフト４の平坦部１４に対応する平坦部１６を有する軸孔６ａを有し、該軸孔６ａをシャフト４に回り止め状に且つ軸方向移動可能に挿通することによりピニオン５１の両側面にそれぞれ配備される。その際、ピニオン５１が樹脂成形品である場合は、該ピニオン５１の両側面にステンレス製の摩擦円板１７を重合一体化し、この摩擦円板１７に摺動部材６を摩擦接触させる。ピニオン５１がステンレス製の場合は摩擦円板１７を取り付ける必要はない。摺動部材６としては、金属メッシュをベースに特殊配合のフッ素樹脂を被覆したもの、あるいはフッ素樹脂層を鋼裏金にラミネートしたものなどサンゴバン（株）製の商品名「ノルグライド」が推奨される。
【００１９】
摺動部材６をピニオン５１の両側面にそれぞれ押し付ける押圧部材９は、図４、図６に示すように、ピニオン５１の一側面に配される摺動部材６とシャフト４のフランジ１３との間に介在されるようにシャフト４に回り止め状に且つ軸方向移動可能に挿通された押えワッシャー１８と、ピニオン５１の他側面に配される摺動部材６の外側に配されるようにシャフト４に回り止め状に且つ軸方向移動可能に外側から順に挿通された小径ワッシャー１９、押えワッシャー２０から構成され、小径ワッシャー１９と押えワッシャー２０との間には数枚（図示例では３枚）の皿バネ２１を介在させている。
【００２０】
図４〜図６に示すように、シャフト４の他端部には雄ねじ部２２を設け、この雄ねじ部２２にナット２３を螺合させ、このナット２３の締め付けにより押圧部材９を押圧して摺動部材６をピニオン５１に押し付けるようにしている。このナット２３の締め付け度合いを調整することで、摺動部材６がピニオン５１の回転方向に発生する必要なトルク値を得ることができる。換言すれば、必要なトルク値に応じてナット２３の締め付け力を調整することができる。
【００２１】
図４〜図６に示すように、シャフト４のフランジ１３より一端部側にはホルダー７のボス部７ａを挿通し、このホルダー７でシャフト４の一端部側を片持ち支持する。ホルダー７より突出するシャフト４の末端の溝３２にはＥ形止め輪３３を挿入してフランジ１３との間でホルダー７の軸方向の移動を阻止している。シャフト４の一端部側の外周とホルダー７の内周との間にはワンウェイクラッチ８を１個若しくは２個以上（図示例では２個）装着する。ワンウェイクラッチ８は、引戸３１の開時に空転してシャフト４を一方向にのみ回転可能とし、引戸３１の閉時にかみ合い作動してシャフト４の逆方向への回転を阻止するものである。ホルダー７は戸枠２７のハンガーレール１０の下面側に取り付け固定される。
【００２２】
上記構成のダンパー装置１において、いま、引戸３１が閉じる際、図１、図２に示すように、ピニオン５１が引戸３１を全閉する少し手前からラック１５にかみ合って回転し、摺動部材６がピニオン５１の回転方向にトルクを発生し、このときワンウェイクラッチ８はかみ合い作動してシャフト４の回転を遮断するので、ピニオン５１は摺動部材６との摩擦によるダンパー力（制動力）を受けながら回転し、引戸３１は全閉する少し手前からゆっくりと低速で閉まり、戸枠２７の縦枠２７ａとの衝突や衝突音の発生を防止できる。
引戸３１を矢印Ａとは反対方向に開ける時には、ワンウェイクラッチ８は空転するので、ラック１５とかみ合うピニオン５１は摺動部材６との摩擦でシャフト４と一体となって回転し、大きな力を要することなく引戸３１を軽快に開けることができる。
【００２３】
開閉体３を開閉自在に装備する支持部材２および開閉体３としては、上記戸枠２７および引戸３１以外に、ノート型パソコン等の機器本体および該機器本体の開閉蓋などであってもよい。
その場合、回転部材５としては、図７に示すように、開閉蓋側に取り付けられる取付孔２４ａを有する取付部２４と、シャフト４上の摺動部材６，６間に遊転自在に挿通される軸孔２５ａを開口した円板部２５とを有する形の可動ブラケット２６が使用され、シャフト４を片持ち支持するホルダー７は同図のように機器本体側に取り付け易い形状に適宜設計変更されて機器本体側に取り付け固定される。その他の構成は上記実施例の引戸３１のダンパー装置１と同様であるため、同一部材に同一符号を付してその説明を省略する。しかるときは、開閉蓋を閉じる時に、摺動部材６が可動ブラケット２６の回転方向にトルクを発生し、このときワンウェイクラッチ８はかみ合い作動してシャフト４の回転を遮断するので、可動ブラケット２６は摺動部材６との摩擦による制動を受けながらシャフト４周りに回転し、開閉蓋はゆっくりと低速で閉まる。開閉蓋を開ける時には、ワンウェイクラッチ８は空転するので、可動ブラケット２６は摺動部材６との摩擦でシャフト４と一体となって回転し、大きな力を要することなく開閉蓋を軽く開けられ、フリーな位置に止めることができる。
【００２４】
その他に、洋式便器を支持部材２とし、便蓋又は便座を開閉体３とすることができ、開閉体３としては液晶表示板や小型測定機器等の開閉体などを挙げることもできる。
【図面の簡単な説明】
【００２５】
【図１】本発明の一実施例のダンパー装置を備えた引戸の閉じ途上の状態を示す正面図である。
【図２】同ダンパー装置周辺の拡大斜視図である。
【図３】同ダンパー装置を備えた引戸の上部を裏側からみた斜視図である。
【図４】図２におけるＡ-Ａ線断面図である。
【図５】同ダンパー装置の斜視図である。
【図６】同ダンパー装置の分解斜視図である。
【図７】他の実施例を示すダンパー装置の分解斜視図である。
【符号の説明】
【００２６】
１  ダンパー装置
２  支持部材
３  開閉体
４  シャフト
５  回転部材
６  摺動部材
７  ホルダー
８  ワンウェイクラッチ
９  押圧部材
１０  ハンガーレール
１１，１２  戸車
１５  ラック
２２  雄ねじ部
２３  ナット
２６  可動ブラケット
２７  戸枠
３１  引戸
５１  ピニオン
【図１】
2009057729.tif 000003
【図２】
2009057729.tif 000004
【図３】
2009057729.tif 000005
【図４】
2009057729.tif 000006
【図５】
2009057729.tif 000007
【図６】
2009057729.tif 000008
【図７】
2009057729.tif 000009